(57)【要約】【課題】筐体のせりだしを大きくすることなく、上向きの斜面の面積を大きくして、数多くの操作ボタンを上向きの斜面に配置することができるとともに、利用者の体やカバンの一部などが不意に操作ボタンに接触する状況の発生を抑制することができるエレベータ用操作盤を得ることを目的とする。【解決手段】筐体１の表面が上下方向に複数の起伏がある多段面であり、その起伏の頂点より上側の上向き斜面１ａに操作ボタン２が実装されているように構成する。これにより、筐体１のせりだしを大きくすることなく、上向き斜面１ａの面積を大きくすることができる。【選択図】図１
2009280332.tif 000002
【特許請求の範囲】
【請求項１】
エレベータの壁面に取り付けられる筐体と、上記筐体の表面に実装されるエレベータ操作用ボタンとを備えたエレベータ用操作盤において、上記筐体の表面が上下方向に複数の起伏がある多段面であり、上記起伏の頂点より上側の上向き斜面に上記エレベータ操作用ボタンが実装されていることを特徴とするエレベータ用操作盤。
【請求項２】
複数の起伏のうち、一部の上向き斜面にエレベータ操作用ボタンが実装され、上記エレベータ操作用ボタンが実装されていない上向き斜面が存在していることを特徴とする請求項１記載のエレベータ用操作盤。
【請求項３】
起伏の頂点より上側の上向き斜面にエレベータ操作用ボタンが実装されているほかに、上記起伏の頂点より下側の下向き斜面にエレベータ操作用ボタンが実装されていることを特徴とする請求項１記載のエレベータ用操作盤。
【請求項４】
筐体がエレベータの壁面に埋め込まれていることを特徴とする請求項１から請求項３のうちのいずれか１項記載のエレベータ用操作盤。
【請求項５】
長手方向が水平方向である手摺が筐体の側面に設けられていることを特徴とする請求項１から請求項４のうちのいずれか１項記載のエレベータ用操作盤。
【発明の詳細な説明】
【技術分野】
【０００１】
この発明は、エレベータを操作するエレベータ操作用ボタンを実装しているエレベータ用操作盤に関するものである。
【背景技術】
【０００２】
エレベータを利用する利用者の背が低い場合や、車椅子利用者である場合、エレベータ用操作盤が高い位置に取り付けられていると、利用者の手が操作ボタンに届かない可能性があるため、低い位置に取り付けられることがある。
しかし、エレベータ用操作盤が低い位置に取り付けられると、背が高い利用者は操作ボタンを押しづらくなる。
また、利用者が視覚障害者である場合、触覚を得るために、しゃがみ込む必要がある。
【０００３】
そこで、エレベータ用操作盤が低い位置に取り付けられても、背が高い利用者や視覚障害者の操作性を損なうことがないようにするため、エレベータ用操作盤の筐体の一部をせりだすことにより、エレベータ用操作盤の表面の一部を上向きの斜面にして、その上向きの斜面に操作ボタンを配置しているものがある（例えば、特許文献１を参照）。
【０００４】
【特許文献１】特許第２５０８３６３号（図１）
【発明の開示】
【発明が解決しようとする課題】
【０００５】
従来のエレベータ用操作盤は以上のように構成されているので、表面の一部を上向きの斜面にして、その上向きの斜面に操作ボタンを配置すれば、低い位置に取り付けられても、背が高い利用者や視覚障害者の操作性の劣化を防止することができる。しかし、表面の一部を上向きの斜面にするには、筐体の一部をせりだす必要があり、数多くの操作ボタンが実装されている面積が大きな表面の場合、そのせりだしが特に大きくなる。このように、せりだしを大きくすると、エレベータの利用者や荷物などが、不意に筐体の側面にぶつかって操作盤を破損する可能性が高まる課題があった。
また、利用者の体やカバンの一部などが不意に操作ボタンに接触して、意図しない操作を招くことがある課題もあった。
【０００６】
この発明は上記のような課題を解決するためになされたもので、筐体のせりだしを大きくすることなく、上向きの斜面の面積を大きくして、数多くの操作ボタンを上向きの斜面に配置することができるとともに、利用者の体やカバンの一部などが不意に操作ボタンに接触する状況の発生を抑制することができるエレベータ用操作盤を得ることを目的とする。
【課題を解決するための手段】
【０００７】
この発明に係るエレベータ用操作盤は、筐体の表面が上下方向に複数の起伏がある多段面であり、その起伏の頂点より上側の上向き斜面にエレベータ操作用ボタンが実装されているようにしたものである。
【発明の効果】
【０００８】
この発明によれば、筐体の表面が上下方向に複数の起伏がある多段面であり、その起伏の頂点より上側の上向き斜面にエレベータ操作用ボタンが実装されているように構成したので、筐体のせりだしを大きくすることなく、上向き斜面の面積を大きくして、数多くの操作ボタンを上向き斜面に配置することができるとともに、利用者の体やカバンの一部などが不意に操作ボタンに接触する状況の発生を抑制することができる効果がある。
【発明を実施するための最良の形態】
【０００９】
実施の形態１．
図１はこの発明の実施の形態１によるエレベータ用操作盤を示す斜視図であり、図において、筐体１はエレベータの壁面に取り付けられている。筐体１の表面は上下方向に複数の起伏がある多段面である。
エレベータ操作用ボタン（以下、「操作ボタン」と称する）２は利用者がエレベータを操作する際にタッチするボタンであり、筐体１の表面のうち、起伏の頂点より上側の上向き斜面１ａに実装されている。
点字ブロック３は操作ボタン２の操作内容を示しており、その操作ボタン２の近傍に施されている。
図１では、点字ブロック３が設けられている例を示しているが、点字ブロック３が設けられていない場合もある。
【００１０】
次に動作について説明する。
上述したように、エレベータ用操作盤が低い位置に取り付けられても、背が高い利用者や視覚障害者の操作性を損なうことがないようにするため、エレベータ用操作盤の筐体の一部をせりだすことにより、エレベータ用操作盤の表面の一部を上向きの斜面にして、その上向きの斜面に操作ボタンを配置しているものがある。
図２は筐体の下端部をせりだして、操作盤の全体を傾斜している例を示す斜視図である。
【００１１】
図２のように、表面の上向きの斜面に操作ボタンが配置されている場合、床面に垂直な表面に操作ボタンが配置されている場合と異なり（図３（ａ）を参照）、背が高い利用者であっても、楽な姿勢で操作ボタンを操作することができる（図３（ｂ）を参照）。
しかし、表面の一部を上向きの斜面にするには、筐体の一部をせりだす必要があり、数多くの操作ボタンが実装されている面積が大きな表面の場合、そのせりだしが特に大きくなる。
エレベータのような狭い空間においては、下端部のせりだしを大きくすると、図４に示すように、エレベータの利用者や車椅子、荷物などが、不意に筐体の側面にぶつかってエレベータ用操作盤を破損する可能性が高まる（第１の課題）。
また、図５に示すように、利用者の体やカバンの一部などが不意に操作ボタンに接触して、意図しない操作を招くこともある（第２の課題）。
【００１２】
そこで、この実施の形態１では、筐体のせりだしを大きくすることなく、上向きの斜面の面積を大きくするために、筐体１の表面を上下方向に複数の起伏がある多段面にしている。
図１は多段面の段数が４段である例を示しており、図２のように、操作盤の全体を傾斜している場合と比べて、せりだし量を約４分の１程度に抑えることができる。
このため、図２のように、操作盤の全体を傾斜している場合より、エレベータの利用者や荷物などが、不意に筐体１の側面にぶつかってエレベータ用操作盤を破損する可能性を低減することができる（図６を参照）。即ち、第１の課題を解決することができる。
【００１３】
また、この実施の形態１では、筐体１の表面のうち、起伏の頂点より上側の上向き斜面１ａに操作ボタン２が実装されており、起伏の頂点には操作ボタン２が実装されていない。
例えば、利用者のカバンが不意に操作盤に接触する場合を考えると、図７に示すように、利用者のカバンは起伏の頂点に接触する可能性が高い。
しかし、起伏の頂点には操作ボタン２が実装されておらず、接触する可能性が低い上向き斜面１ａに操作ボタン２が実装されているため、利用者のカバンの一部などが不意に操作ボタン２に接触する状況の発生を抑制することができる。即ち、第２の課題を解決することができる。
【００１４】
以上で明らかなように、この実施の形態１によれば、筐体１の表面が上下方向に複数の起伏がある多段面であり、その起伏の頂点より上側の上向き斜面１ａに操作ボタン２が実装されているように構成したので、筐体１のせりだしを大きくすることなく、上向き斜面１ａの面積を大きくして、数多くの操作ボタン２を上向き斜面１ａに配置することができるとともに、利用者の体やカバンの一部などが不意に操作ボタン２に接触する状況の発生を抑制することができる効果を奏する。
【００１５】
この実施の形態１では、複数の起伏がある多段面の形状がのこぎり型に近い例を示したが、多段面の形状は特に限定するものではない。図８は多段面の形状例を示す断面図である。
なお、各段の形状は同一の形状である必要はなく、異なる形状であってもよい（図８（ｄ）（ｅ）を参照）。
【００１６】
また、この実施の形態１では、多段面の段数が４段であるものについて示したが、段数が２段以上あればよく、多段面の段数は特に限定するものではない。
図９は多段面の段数が２段である例と３段である例を示す斜視図である。
【００１７】
また、この実施の形態１では、起伏の頂点より上側の上向き斜面１ａに操作ボタン２が一列配置されているものについて示したが、起伏の頂点より上側の上向き斜面１ａに操作ボタン２が複数列配置されていてもよい。
図１０は起伏の頂点より上側の上向き斜面１ａに操作ボタン２が２列配置されている例を示す斜視図である。
【００１８】
実施の形態２．
上記実施の形態１では、全ての上向き斜面１ａに操作ボタン２が実装されているものについて示したが、図１１に示すように、一部の上向き斜面１ａに操作ボタン２が実装されて、操作ボタン２が実装されていない上向き斜面１ａが存在していてもよい。
この場合、実装する操作ボタン２が多い場合でも、少ない場合でも、同一のエレベータ用操作盤を汎用的に使用することができる効果を奏する。
【００１９】
実施の形態３．
上記実施の形態１では、起伏の頂点より上側の上向き斜面１ａに操作ボタンが実装されているものについて示したが、図１２に示すように、起伏の頂点より上側の上向き斜面１ａに操作ボタン２が実装されているほかに、起伏の頂点より下側の下向き斜面１ｂに操作ボタン２が実装されているようにしてもよい。
【００２０】
この場合、一般の利用者が操作しない特殊な操作ボタン２（例えば、車椅子利用者用の操作ボタン、エレベータ点検時に使用する操作ボタンなど）を、一般の利用者が見づらい位置（起伏の頂点より下側の斜面１ｂ）に配置することができるため、一般の利用者の誤操作を防止することができる。
【００２１】
実施の形態４．
上記実施の形態１では、筐体１がエレベータの壁面に取り付けられているものを示したが、図１３に示すように、筐体１がエレベータの壁面に埋め込まれているようにしてもよい。
この場合、エレベータの利用者や荷物などが、不意に筐体の側面にぶつかって操作盤を破損する可能性を無くすることができる効果を奏する。
なお、この実施の形態４の場合も、上記実施の形態１と同様に、筐体１のせりだしを大きくする必要がないので、エレベータの壁面に対する筐体１の埋め込み量を少なくすることができる。
【００２２】
実施の形態５．
上記実施の形態１〜４では、筐体１のせりだしを大きくすることなく、上向き斜面１ａの面積を大きくしている例を示したが、図１４に示すように、上記実施の形態１〜４のエレベータ用操作盤に対して、長手方向が水平方向である手摺４を筐体１の側面に設けるようにしてもよい。
筐体１を貫通するように、一本の手摺４を設置してもよいし、筐体１の両脇に二本の手摺４を別々に設置するようにしてもよい。
【００２３】
このように、手摺４を起伏の頂点付近に設置すると、手摺４の存在によって、エレベータの利用者や荷物などが、筐体１の側面に近づくことが困難になるので、さらに、不意に筐体１の側面にぶつかって操作盤を破損する可能性を低減することができる。
【図面の簡単な説明】
【００２４】
【図１】この発明の実施の形態１によるエレベータ用操作盤を示す斜視図である。
【図２】筐体の下端部をせりだして、操作盤の全体を傾斜している例を示す斜視図である。
【図３】利用者が操作ボタンを操作している様子を示す説明図である。
【図４】エレベータの利用者や荷物などが、不意に筐体にぶつかる様子を示す説明図である。
【図５】利用者のカバンが不意に操作ボタンに接触する様子を示す説明図である。
【図６】エレベータの利用者や荷物などが、不意に筐体にぶつかる可能性が少ないことを示す説明図である。
【図７】利用者のカバンが起伏の頂点に接触する様子を示す説明図である。
【図８】多段面の形状例を示す断面図である。
【図９】多段面の段数が２段である例と３段である例を示す斜視図である。
【図１０】起伏の頂点より上側の上向き斜面１ａに操作ボタン２が２列配置されている例を示す斜視図である。
【図１１】この発明の実施の形態２によるエレベータ用操作盤を示す斜視図である。
【図１２】この発明の実施の形態３によるエレベータ用操作盤を示す斜視図である。
【図１３】この発明の実施の形態４によるエレベータ用操作盤を示す斜視図である。
【図１４】この発明の実施の形態５によるエレベータ用操作盤を示す斜視図である。
【符号の説明】
【００２５】
１  筐体、１ａ  上向き斜面、１ｂ  下向き斜面、２  操作ボタン（エレベータ操作用ボタン）、３  点字ブロック、４  手摺。
【図１】
2009280332.tif 000003
【図２】
2009280332.tif 000004
【図３】
2009280332.tif 000005
【図４】
2009280332.tif 000006
【図５】
2009280332.tif 000007
【図６】
2009280332.tif 000008
【図７】
2009280332.tif 000009
【図８】
2009280332.tif 000010
【図９】
2009280332.tif 000011
【図１０】
2009280332.tif 000012
【図１１】
2009280332.tif 000013
【図１２】
2009280332.tif 000014
【図１３】
2009280332.tif 000015
【図１４】
2009280332.tif 000016